(57)【要約】【課題】予定された放送時刻や放送番組表記が実際の放送に対応する番組編成表において変更された場合にも、予め用意しておいた番組関連情報を利用できる。【解決手段】コンテンツ情報管理サーバ３０は、番組情報提供サーバ２０から事前番組情報を取得する。管理コンピュータ３１は、番組毎に仮番組ＩＤを採番し、仮番組ＩＤを発行して、事前番組情報を事前番組情報記憶部３２に記録する。そして、コンテンツ情報管理サーバ３０が番組情報提供サーバ２０から放送番組情報を取得すると、番組ＩＤを採番する。そして、管理コンピュータ３１は、事前番組情報の時刻を基準にして所定時間範囲で、番組タイトル突合せテーブルを用いて突合せを行ない、番組ＩＤと仮番組ＩＤとを関連付ける。【選択図】図１
2007251743.tif 000002
【特許請求の範囲】
【請求項１】
放送局、放送予定時刻、仮タイトルに関する情報を含む事前番組情報を記録するための事前番組情報記憶部と、
放送局、放送時刻、番組タイトルに関する情報を含む放送番組情報を記録するための放送番組情報記憶部と、
事前番組情報と放送番組情報とを対応付けるためのマッピングテーブルを記録する対応テーブル記憶部と、
これらを制御する管理コンピュータとを備えた放送情報管理システムを用いて、放送に関する情報を管理する方法であって、
前記管理コンピュータが、
放送前の番組について事前番組情報を取得し、前記事前番組情報記憶部に記録し、
前記事前番組情報の取得後に、放送直前又は放送後の番組について放送番組情報を取得し、前記放送番組情報記憶部に記録し、
複数の事前番組情報から特定の事前番組情報を選択し、複数の放送番組情報から、前記選択された事前番組情報と同じ放送局で且つ前記事前番組情報の放送時刻と近傍の放送時刻である１つ以上の放送番組情報を選択し、
前記選択された事前番組情報の仮タイトルと、前記選択された放送番組情報の番組タイトルの照合処理を行ない、前記選択された放送番組情報の内、前記選択された事前番組情報について仮タイトルが所定の範囲内で一致した番組タイトルの放送番組情報を関連付けて対応テーブル記憶部に記録することを特徴とする放送情報管理方法。
【請求項２】
前記放送情報管理システムは、事前番組情報と放送番組情報との照合を行なうために、仮タイトル候補と番組タイトル候補とを対応付けた対照表に関するデータを記録した対照表データ記憶部を備え、
前記照合処理においては、前記対照表データ記憶部に記録された対照表を用いて実行することを特徴とする請求項１に記載の放送情報管理方法。
【請求項３】
前記照合処理においては、前記事前番組情報の仮タイトルと、前記放送番組情報の番組タイトルとに含まれる文字の一致度を算出し、前記一致度が基準値以上である場合には、前記事前番組情報と前記放送番組情報とを関連付けて対応テーブル記憶部に記録することを特徴とする請求項１又は２に記載の放送情報管理方法。
【請求項４】
前記管理コンピュータが、放送番組情報の要求を受信した場合、この放送番組の放送番組情報に関連付けられた事前番組情報を特定し、
前記事前番組情報に関連付けられた付加情報を取得し、
前記要求に対して、少なくとも前記付加情報を提供することを特徴とする請求項１〜３のいずれか１つに記載の放送情報管理方法。
【請求項５】
前記管理コンピュータが、放送番組情報の関連付けを行なうことができない事前放送番組情報を検知した場合には、オペレータ端末に対して、前記放送番組情報に関する確認通知を送信することを特徴とする請求項１〜４のいずれか１つに記載の放送情報管理方法。
【請求項６】
放送局、放送予定時刻、仮タイトルに関する情報を含む事前番組情報を記録するための事前番組情報記憶部と、
放送局、放送時刻、番組タイトルに関する情報を含む放送番組情報を記録するための放送番組情報記憶部と、
事前番組情報と放送番組情報とを対応付けるためのマッピングテーブルを記録する対応テーブル記憶部と、
これらを制御する管理コンピュータとを備えた放送情報管理システムを用いて、放送に
関する情報を管理する方法であって、
前記管理コンピュータが、
放送前の番組について事前番組情報を取得し、前記事前番組情報記憶部に記録し、
前記事前番組情報の取得後に、放送直前又は放送後の番組について放送番組情報を取得し、前記放送番組情報記憶部に記録し、
複数の放送番組情報から特定の放送番組情報を選択し、複数の事前番組情報から、前記選択された放送番組情報と同じ放送局で且つ前記放送番組情報の放送時刻と近傍の放送時刻である１つ以上の事前番組情報を選択し、
前記選択された放送番組情報の番組タイトルと、前記選択された事前番組情報の仮タイトルの照合処理を行ない、前記選択された事前番組情報の内、前記選択された放送番組情報についての番組タイトルが所定の範囲内で一致した仮タイトルの事前番組情報を関連付けて対応テーブル記憶部に記録することを特徴とする放送情報管理方法。
【請求項７】
放送局、放送予定時刻、仮タイトルに関する情報を含む事前番組情報を記録するための事前番組情報記憶部と、
放送局、放送時刻、番組タイトルに関する情報を含む放送番組情報を記録するための放送番組情報記憶部と、
事前番組情報と放送番組情報とを対応付けるためのマッピングテーブルを記録する対応テーブル記憶部と、
これらを制御する管理コンピュータとを備えた放送情報管理システムであって、
前記管理コンピュータが、
放送前の番組について事前番組情報を取得し、前記事前番組情報記憶部に記録する事前番組情報取得手段と、
前記事前番組情報の取得後に、放送直前又は放送後の番組について放送番組情報を取得し、前記放送番組情報記憶部に記録する放送番組情報取得手段と、
複数の事前番組情報から特定の事前番組情報を選択する事前番組情報選択手段と、
複数の放送番組情報から、前記選択された事前番組情報と同じ放送局で且つ前記事前番組情報の放送時刻と近傍の放送時刻である１つ以上の放送番組情報を選択する放送番組情報選択手段と、
前記選択された事前番組情報の仮タイトルと、前記選択された放送番組情報の番組タイトルの照合を行なう照合手段と、
前記選択された放送番組情報の内、前記選択された事前番組情報について仮タイトルが所定の範囲内で一致した番組タイトルの放送番組情報を関連付けて対応テーブル記憶部に記録する関連付け手段
として機能することを特徴とする放送情報管理システム。
【請求項８】
放送局、放送予定時刻、仮タイトルに関する情報を含む事前番組情報を記録する事前番組情報記憶部と、
放送局、放送時刻、番組タイトルに関する情報を含む放送番組情報を記録する放送番組情報記憶部と、
事前番組情報と放送番組情報とを対応付けるためのマッピングテーブルを記録する対応テーブル記憶部と、
これらを制御する管理コンピュータとを備えた放送情報管理システムを用いて、放送に関する情報を管理するための放送情報管理プログラムであって、
前記管理コンピュータを、
放送前の番組について事前番組情報を取得し、前記事前番組情報記憶部に記録する事前番組情報取得手段と、
前記事前番組情報の取得後に、放送直前又は放送後の番組について放送番組情報を取得し、前記放送番組情報記憶部に記録する放送番組情報取得手段と、
複数の事前番組情報から特定の事前番組情報を選択する事前番組情報選択手段と、
複数の放送番組情報から、前記選択された事前番組情報と同じ放送局で且つ前記事前番組情報の放送時刻と近傍の放送時刻である１つ以上の放送番組情報を選択する放送番組情報選択手段と、
前記選択された事前番組情報の仮タイトルと、前記選択された放送番組情報の番組タイトルの照合を行なう照合手段と、
前記選択された放送番組情報の内、前記選択された事前番組情報について仮タイトルが所定の範囲内で一致した番組タイトルの放送番組情報を関連付けて対応テーブル記憶部に記録する関連付け手段
として機能させることを特徴とする放送情報管理プログラム。
【発明の詳細な説明】
【技術分野】
【０００１】
本発明は、放送番組に関する情報を管理し、提供するための放送情報管理方法、放送情報管理システム及び放送情報管理プログラムに関する。
【背景技術】
【０００２】
放送される番組のデータには、映像データと音声データが含まれている。また、番組データには、映像データとして表示される字幕以外に、表示させるか否かを選択可能な字幕データが含まれる。このような選択可能な字幕データは、一般に、クローズドキャプションと称され、主に、聴覚障害者用に開発されている。このクローズドキャプションは、海外の作品における日本語字幕のように、出演者の会話だけではなく、例えば、ＢＧＭや効果音などの説明も含まれる。
【０００３】
このクローズドキャプションは、テレビジョン信号の２１番目の水平走査線に、画面に関する音声等を文字コード化したものを挿入する。クローズドキャプションデータは、専用のデコーダによってテレビジョン信号から分離することができる。
【０００４】
デジタルテレビ放送において、映像情報の伝送と同時に伝送されたテキスト情報を、内部に保存し、内部に保存したテキスト情報をテレビモニタでいつでも表示閲覧できるようにすることによって、字幕の情報を活用することができるようにした技術がある（例えば、特許文献１）。
【０００５】
また、視聴者の操作、または、受信した字幕放送により、自動的にＣＭ番組、文字情報、または、通信データを保存し、視聴者が保存された情報を利用して、放送局あるいはＣＭ提供者に通信することにより、ＣＭ商品の購入を行うことができるようにした技術がある（例えば、特許文献２）。
【０００６】
一方、インターネットを介して、サーバから番組情報をダウンロードして、番組をＶＴＲに録画予約する技術もある。しかし、スポーツ中継番組の延長や臨時ニュースなどにより、録画したい番組の放送開始時間が変更されたり、または中止されたりする場合がある。そこで、番組予約更新を確実に行なうための番組録画予約システムに関する技術が開示されている（例えば、特許文献３参照。）。この文献に記載の技術では、複数のテレビジョンチャンネルの番組一覧表と番組予約情報のデータベースを用いる。そして、番組予約情報は二つ以上の階層から構成され、第一の階層に番組予約に最低限必要な情報である局名、放送日、番組ＩＤ、放送開始時間、放送終了時間、第二の階層以降に番組の詳細情報から構成される。そして、通信回線を介して獲得した番組情報提供サーバの番組予約情報と文字放送から獲得した番組の放送時間を比較し、録画予約した番組が時間変更になった場合、文字放送から時間を得る。
【特許文献１】特開２００３−７８８８９号公報（第１頁）
【特許文献２】特開２００２−７７８７２号公報（第１頁）
【特許文献３】特開平１０−１７４０６２号公報（第１頁）
【発明の開示】
【発明が解決しようとする課題】
【０００７】
このような番組情報提供サービスでは、番組予約のための番組情報だけでなく、放送番組に関連して各種情報を提供することも可能である。この場合、番組の放送後に速やかに番組関連情報を提供するために、事前に番組に関連付けて情報を蓄積しておく。しかし、上述のように、時刻が変更になったり、番組タイトル等の番組表記が変更になったりした
場合、予め用意していた番組関連情報が利用できない場合もある。
【０００８】
本発明は、上記課題を解決するためになされたものであり、その目的は、予定された放送時刻や放送番組表記が実際の放送に対応する番組編成表において変更された場合にも、予め用意しておいた番組関連情報を利用できるようにするための放送情報管理方法、放送情報管理システム及び放送情報管理プログラムを提供することにある。
【課題を解決するための手段】
【０００９】
上記問題点を解決するために、請求項１に記載の発明は、放送局、放送予定時刻、仮タイトルに関する情報を含む事前番組情報を記録するための事前番組情報記憶部と、放送局、放送時刻、番組タイトルに関する情報を含む放送番組情報を記録するための放送番組情報記憶部と、事前番組情報と放送番組情報とを対応付けるためのマッピングテーブルを記録する対応テーブル記憶部と、これらを制御する管理コンピュータとを備えた放送情報管理システムを用いて、放送に関する情報を管理する方法であって、前記管理コンピュータが、放送前の番組について事前番組情報を取得し、前記事前番組情報記憶部に記録し、前記事前番組情報の取得後に、放送直前又は放送後の番組について放送番組情報を取得し、前記放送番組情報記憶部に記録し、複数の事前番組情報から特定の事前番組情報を選択し、複数の放送番組情報から、前記選択された事前番組情報と同じ放送局で且つ前記事前番組情報の放送時刻と近傍の放送時刻である１つ以上の放送番組情報を選択し、前記選択された事前番組情報の仮タイトルと、前記選択された放送番組情報の番組タイトルの照合処理を行ない、前記選択された放送番組情報の内、前記選択された事前番組情報について仮タイトルが所定の範囲内で一致した番組タイトルの放送番組情報を関連付けて対応テーブル記憶部に記録することを要旨とする。
【００１０】
請求項２に記載の発明は、請求項１に記載の放送情報管理方法において、前記放送情報管理システムは、事前番組情報と放送番組情報との照合を行なうために、仮タイトル候補と番組タイトル候補とを対応付けた対照表に関するデータを記録した対照表データ記憶部を備え、前記照合処理においては、前記対照表データ記憶部に記録された対照表を用いて実行することを要旨とする。
【００１１】
請求項３に記載の発明は、請求項１又は２に記載の放送情報管理方法において、前記照合処理においては、前記事前番組情報の仮タイトルと、前記放送番組情報の番組タイトルとに含まれる文字の一致度を算出し、前記一致度が基準値以上である場合には、前記事前番組情報と前記放送番組情報とを関連付けて対応テーブル記憶部に記録することを要旨とする。
【００１２】
請求項４に記載の発明は、請求項１〜３のいずれか１つに記載の放送情報管理方法において、前記管理コンピュータが、放送番組情報の要求を受信した場合、この放送番組の放送番組情報に関連付けられた事前番組情報を特定し、前記事前番組情報に関連付けられた付加情報を取得し、前記要求に対して、少なくとも前記付加情報を提供することを要旨とする。
【００１３】
請求項５に記載の発明は、請求項１〜４のいずれか１つに記載の放送情報管理方法において、前記管理コンピュータが、放送番組情報の関連付けを行なうことができない事前放送番組情報を検知した場合には、オペレータ端末に対して、前記放送番組情報に関する確認通知を送信することを要旨とする。
【００１４】
請求項６に記載の発明は、放送局、放送予定時刻、仮タイトルに関する情報を含む事前番組情報を記録するための事前番組情報記憶部と、放送局、放送時刻、番組タイトルに関する情報を含む放送番組情報を記録するための放送番組情報記憶部と、事前番組情報と放
送番組情報とを対応付けるためのマッピングテーブルを記録する対応テーブル記憶部と、これらを制御する管理コンピュータとを備えた放送情報管理システムを用いて、放送に関する情報を管理する方法であって、前記管理コンピュータが、放送前の番組について事前番組情報を取得し、前記事前番組情報記憶部に記録し、前記事前番組情報の取得後に、放送直前又は放送後の番組について放送番組情報を取得し、前記放送番組情報記憶部に記録し、複数の放送番組情報から特定の放送番組情報を選択し、複数の事前番組情報から、前記選択された放送番組情報と同じ放送局で且つ前記放送番組情報の放送時刻と近傍の放送時刻である１つ以上の事前番組情報を選択し、前記選択された放送番組情報の番組タイトルと、前記選択された事前番組情報の仮タイトルの照合処理を行ない、前記選択された事前番組情報の内、前記選択された放送番組情報についての番組タイトルが所定の範囲内で一致した仮タイトルの事前番組情報を関連付けて対応テーブル記憶部に記録することを要旨とする。
【００１５】
請求項７に記載の発明は、放送局、放送予定時刻、仮タイトルに関する情報を含む事前番組情報を記録するための事前番組情報記憶部と、放送局、放送時刻、番組タイトルに関する情報を含む放送番組情報を記録するための放送番組情報記憶部と、事前番組情報と放送番組情報とを対応付けるためのマッピングテーブルを記録する対応テーブル記憶部と、これらを制御する管理コンピュータとを備えた放送情報管理システムであって、前記管理コンピュータが、放送前の番組について事前番組情報を取得し、前記事前番組情報記憶部に記録する事前番組情報取得手段と、前記事前番組情報の取得後に、放送直前又は放送後の番組について放送番組情報を取得し、前記放送番組情報記憶部に記録する放送番組情報取得手段と、複数の事前番組情報から特定の事前番組情報を選択する事前番組情報選択手段と、複数の放送番組情報から、前記選択された事前番組情報と同じ放送局で且つ前記事前番組情報の放送時刻と近傍の放送時刻である１つ以上の放送番組情報を選択する放送番組情報選択手段と、前記選択された事前番組情報の仮タイトルと、前記選択された放送番組情報の番組タイトルの照合を行なう照合手段と、前記選択された放送番組情報の内、前記選択された事前番組情報について仮タイトルが所定の範囲内で一致した番組タイトルの放送番組情報を関連付けて対応テーブル記憶部に記録する関連付け手段として機能することを要旨とする。
【００１６】
請求項８に記載の発明は、放送局、放送予定時刻、仮タイトルに関する情報を含む事前番組情報を記録する事前番組情報記憶部と、放送局、放送時刻、番組タイトルに関する情報を含む放送番組情報を記録する放送番組情報記憶部と、事前番組情報と放送番組情報とを対応付けるためのマッピングテーブルを記録する対応テーブル記憶部と、これらを制御する管理コンピュータとを備えた放送情報管理システムを用いて、放送に関する情報を管理するための放送情報管理プログラムであって、前記管理コンピュータを、放送前の番組について事前番組情報を取得し、前記事前番組情報記憶部に記録する事前番組情報取得手段と、前記事前番組情報の取得後に、放送直前又は放送後の番組について放送番組情報を取得し、前記放送番組情報記憶部に記録する放送番組情報取得手段と、複数の事前番組情報から特定の事前番組情報を選択する事前番組情報選択手段と、複数の放送番組情報から、前記選択された事前番組情報と同じ放送局で且つ前記事前番組情報の放送時刻と近傍の放送時刻である１つ以上の放送番組情報を選択する放送番組情報選択手段と、前記選択された事前番組情報の仮タイトルと、前記選択された放送番組情報の番組タイトルの照合を行なう照合手段と、前記選択された放送番組情報の内、前記選択された事前番組情報について仮タイトルが所定の範囲内で一致した番組タイトルの放送番組情報を関連付けて対応テーブル記憶部に記録する関連付け手段として機能させることを要旨とする。
【００１７】
（作用）
請求項１，７，８に記載の発明によれば、放送情報管理システムの管理コンピュータが、放送前の番組について事前番組情報を取得し、この事前番組情報を事前番組情報記憶部
に記録する。さらに、放送後の番組について放送番組情報を取得し、この放送番組情報を放送番組情報記憶部に記録する。そして、複数の事前番組情報から特定の事前番組情報を選択し、複数の放送番組情報から、前記選択された事前番組情報と同じ放送局で且つ前記事前番組情報の放送時刻と近傍の放送時刻である１つ以上の放送番組情報を選択する。そして、前記選択された事前番組情報の仮タイトルと、前記選択された放送番組情報の番組タイトルの照合を行なう。そして、前記選択された放送番組情報の内、前記選択された事前番組情報について仮タイトルが所定の範囲内で一致した番組タイトルの放送番組情報を関連付けて対応テーブル記憶部に記録する。これにより、事前番組情報と放送番組情報とについて、同じ放送局で且つ放送時刻が近傍であって、前番組情報の仮タイトルと放送番組情報の番組タイトルとが所定の範囲内で一致した場合に、事前番組情報と放送番組情報とを関連付けて記録できる。このため、事前番組情報に関連付けられた情報を、放送番組情報に基づいて特定できる。従って、例えば、予定された放送時刻や放送番組表記が実際の放送に対応する番組編成表において変更された場合にも、予め用意しておいた番組関連情報を利用できるようにすることができる。
【００１８】
請求項２に記載の発明によれば、放送情報管理システムの管理コンピュータが、仮タイトル候補と番組タイトル候補とを対応付けた対照表に関するデータを記録した対照表データ記憶部を用いて、この対照表データ記憶部に記録された対照表を用いて、前記選択された事前番組情報の仮タイトルと、前記選択された放送番組情報の番組タイトルの照合を行なう。これにより、仮タイトル候補と番組タイトル候補とを対応付けた対照表を用意しておくことにより、前記選択された事前番組情報の仮タイトルと、前記選択された放送番組情報の番組タイトルの照合を行なうことができる。
【００１９】
請求項３に記載の発明によれば、事前番組情報の仮タイトルと、放送番組情報の番組タイトルとに含まれる文字の一致度を算出し、この一致度が基準値以上である場合に、前記事前番組情報と前記放送番組情報とを関連付けて対応テーブル記憶部に記録する。これにより、事前番組情報の仮タイトルと、放送番組情報の番組タイトルとに含まれる文字の一致度に基づいて、前記事前番組情報と前記放送番組情報とを関連付けて対応テーブル記憶部に記録するかどうかを判断できる。
【００２０】
請求項４に記載の発明によれば、前記管理コンピュータが、放送番組情報の要求を受信した場合、この放送番組の放送番組情報に関連付けられた事前番組情報を特定して、この事前番組情報に関連付けられた付加情報を取得し、前記要求に対して、少なくとも前記付加情報を提供する。これにより、放送番組情報の要求に対して、この放送番組の放送番組情報に関連付けられた事前番組情報に関連付けられた付加情報を、前記放送番組情報とともに提供できる。更に、事前番組情報を受信することができたが、放送番組情報を受信することができない場合であっても、放送番組について、それに関連付けられた付加情報を提供することができる。
【００２１】
請求項５に記載の発明によれば、前記管理コンピュータが、放送番組情報の関連付けを行なうことができない事前放送番組情報を検知した場合には、オペレータ端末に対して、前記放送番組情報に関する確認通知を送信する。これにより、事前番組情報の関連付けを行なうことができない放送番組情報については、オペレータが対応することが可能となる。
【００２２】
請求項６に記載の発明によれば、放送情報管理システムの管理コンピュータが、放送前の番組について事前番組情報を取得し、この事前番組情報を事前番組情報記憶部に記録する。さらに、放送後の番組について放送番組情報を取得し、この放送番組情報を放送番組情報記憶部に記録する。そして、複数の放送番組情報から特定の放送番組情報を選択し、複数の事前番組情報から、前記選択された放送番組情報と同じ放送局で且つ前記選択され
た放送番組情報の放送時刻と近傍の放送時刻である１つ以上の事前番組情報を選択する。そして、前記選択された放送番組情報の番組タイトルと、前記選択された事前番組情報の仮タイトルの照合を行なう。そして、前記選択された放送番組情報の番組タイトルと、前記選択された事前番組情報の仮タイトルの照合処理を行ない、前記選択された事前番組情報の内、前記選択された放送番組情報についての番組タイトルが所定の範囲内で一致した仮タイトルの事前番組情報を関連付けて対応テーブル記憶部に記録する。これにより、事前番組情報と放送番組情報とについて、同じ放送局で且つ放送時刻が近傍であって、前番組情報の仮タイトルと放送番組情報の番組タイトルとが所定の範囲内で一致した場合に、事前番組情報と放送番組情報とを関連付けて記録できる。このため、事前番組情報に関連付けられた情報を、放送番組情報に基づいて特定できる。従って、例えば、予定された放送時刻や放送番組表記が実際の放送に対応する番組編成表において変更された場合にも、予め用意しておいた番組関連情報を利用できるようにすることができる。
【発明の効果】
【００２３】
本発明によれば、予定された放送時刻や放送番組表記が実際の放送に対応する番組編成表において変更された場合にも、予め用意しておいた番組関連情報を利用できる。さらに変更前の番組情報によって問い合わせを受けても、実際に放送された番組関連情報を提供することができる。
【発明を実施するための最良の形態】
【００２４】
以下、本発明を具体化した一実施形態を、図１〜図９を用いて説明する。本実施形態では、図１に示すように、放送局１０からの放送信号を、テレビジョン受像機５０を用いて受信し、この放送信号に基づく映像データ及び音声データをテレビジョン受像機５０に接続された録画再生装置６０に記録する。この録画再生装置６０は、ネットワーク７０を介してコンテンツ情報管理サーバ３０に接続される。
【００２５】
また、ネットワーク７０には、番組情報提供サーバ２０及び放送局１０が接続されている。放送局１０は、放送番組のスケジュールを、ネットワーク７０を介して番組情報提供サーバ２０に提供する。番組情報提供サーバ２０は、１つ以上の放送局１０から提供される放送番組のスケジュールについて、事前番組情報及び放送番組情報を編集して、コンテンツ情報管理サーバ３０に提供する。
【００２６】
放送局１０は、地上波や衛星波などを用いて番組を放送する施設である。放送される番組の放送信号には、映像データと音声データとが含まれる。この映像データは動画像データであり、音声データは映像データと同期して再生される音声に関するデータである。
【００２７】
また、この放送信号の中には、映像として常に表示される字幕と、選択により表示される字幕とが含まれる。前者には、番組の題名やキャストなどの紹介、海外の作品における日本語字幕等がある。一方、後者のように表示選択の可能な字幕データ（いわゆるクローズドキャプション）には、出演者の会話に対応するテキストデータや、例えばＢＧＭや効果音など、放送コンテンツに関する説明が含まれている場合もある。このように表示と非表示とを選択可能な字幕データを「表示選択字幕データ」と呼ぶ。
【００２８】
次に、この表示選択字幕データについて説明する。例えばＮＴＳＣ方式のアナログの地上波放送では、映像信号に５２５本の走査線が用いられている。この５２５本のうち、各フィールド（２フィールドで１フレームを構成）の最初の２１本相当は、ＶＢＩ（Vertical Blanking Interval：垂直帰線消去期間）と呼ばれ、走査を開始するためのインターバル用に割り当てられている。クローズドキャプションは、各フィールドのＶＢＩのうち、ＶＢＩの２１本目に７ｂｉｔの文字コードを多重化することによって伝送されるように構成されている。そして、各フィールドを使って２種類の文字セットを約６０文字／秒で伝
送することができる。この表示選択字幕データは、再生時に映像データからデコードされて、映像と同時に表示させることができる。
【００２９】
ユーザは、テレビジョン受像機５０を用いて、表示選択字幕データを含む映像データ及び音声データで構成される放送信号を受信する。このテレビジョン受像機５０は、チューナ５１、信号処理部５２、ディスプレイやスピーカからなる出力部５３を備える。表示選択字幕データを表示させない場合には、チューナ５１によって選局された放送信号を信号処理部５２において復調し、出力部５３において、映像信号はディスプレイに出力し、音声信号はスピーカに出力して番組を視聴することができる。
【００３０】
録画再生装置６０としては、例えば、ハードディスクレコーダ装置等を想定する。
この録画再生装置６０は、テレビジョン受像機５０のチューナ５１によって選局された放送信号を取得し、映像信号及び音声信号をデコードするとともに、表示選択字幕データを抽出してデコードし、テレビジョン受像機５０に映像信号及び音声信号を出力する。また、この録画再生装置６０は、取得した放送信号に基づいて、映像データ及び音声データを含む録画データを、録画データ記憶部に記録する。更に、この録画再生装置６０は、録画データ記憶部６２に記録された録画データに基づいて、映像及び音声をテレビジョン受像機５０に出力して、録画した放送番組を再生する。
【００３１】
この録画再生装置６０は、ＣＰＵ（Central Processing Unit ）からなる制御手段、ＲＯＭ（Read Only Memory）やＲＡＭ（Random Access Memory )、ＨＤＤ（Hard Disk Drive ）等のデータ記憶手段を備える。録画再生装置６０のブロック構成を図２に示す。
【００３２】
テレビジョン受像機５０のチューナ５１により選局された放送信号のうち、表示選択字幕データを含む映像信号、音声信号は、それぞれ所定の入力端子より、映像信号デコーダ６０１、音声信号デコーダ６０２に入力される。
【００３３】
映像信号デコーダ６０１は、供給された映像信号をデコードし、デコードされた映像データをメモリ６０３に供給する。メモリ６０３は、供給された映像信号を一時保持するフレームメモリである。音声信号デコーダ６０２は、供給された音声信号をデコードし、デコードされた音声データを出力する。
【００３４】
受信された放送信号をリアルタイムに出力する場合、表示選択字幕データデコーダ６０５は、メモリ６０３から映像データを取得する。そして、表示選択字幕データの表示が指示された場合、表示選択字幕データデコーダ６０５は、取得した映像データに含まれる表示選択字幕データをデコードする映像情報を分離する。そして、対応するテキストデータをＯＳＤ（On Screen Display ）６０６に供給するとともに、映像データを合成処理部６０７に供給する。
【００３５】
ＯＳＤ６０６は、供給されたテキストデータを、表示画面に重畳して表示させるための画像データであるＯＳＤデータに変換して、合成処理部６０７に供給する。合成処理部６０７は、供給された映像データに、供給されたＯＳＤデータを重畳して、出力端子からテレビジョン受像機５０の出力部５３のディスプレイに出力する。また、音声処理部６０８は、音声信号デコーダ６０２によりデコードされた音声データを取得して、テレビジョン受像機５０の出力部５３のスピーカに出力する。
【００３６】
番組ＩＤ抽出部６１０は、メモリ６０３に保持されている映像データから番組管理データに含まれる番組ＩＤを抽出する。
録画管理部６０９は、操作入力部６１７により入力された録画予約情報、又は、テキストデータによる検索に基づいて自動的に録画予約された録画予約情報に基づいて、録画を
行なう。この録画管理部６０９は、タイマ６１８を参照して、録画が開始された時刻（絶対時刻）を取得し、メモリ６０３から供給される映像データ、又は音声信号デコーダ６０２から供給される音声データのうちの少なくともいずれか一方に、取得した時刻情報を付加する。更に、映像データ及び音声データに対して、番組ＩＤ抽出部６１０から供給された番組ＩＤを付加して、映像情報記憶手段としての録画データ記憶部６２に記録する。ここで付加された時刻情報は、タイムスタンプとして用いられる。
【００３７】
また、録画管理部６０９は、通信部６１６を介して、コンテンツ情報管理サーバ３０から、番組関連情報を取得する。
録画データ記憶部６２には、番組ＩＤ及びタイムスタンプが付加された映像データ及び音声データを記憶する。なお、本実施形態では、この番組ＩＤ及びタイムスタンプが付加された映像データ及び音声データを、単に録画データと呼ぶ場合もある。録画データ記憶部６２は、例えば、ハードディスクなどの大容量記録媒体により構成されるが、ＤＶＤ（Digital Versatile Disk）や磁気テープなどのリムーバブルな記録媒体を用いることも可能である。
【００３８】
解析処理部６１１は、表示選択字幕データデコーダ６０５により分離された表示選択字幕データをテキストデータに変換して、タイムコード付加処理部６１３に供給する。
タイムコード付加処理部６１３は、タイマ６１２を用いて、代表画像の登録指示を受けた時刻をタイムコードとして付加する。例えば、表示選択字幕に対応するテキストの場合には、表示選択字幕の開始時刻に対応するタイムコードが付加される。放送に対してリアルタイムで放送信号を取得した場合、タイムコード付加処理部６１３はタイマ６１２が示す現在時刻に基づいて、タイムコードをテキストデータに付加するものとする。また、番組放送時刻に対してタイムコード付加時刻に遅れがある場合には、タイムコード付加処理部６１３は、この遅延時間とタイマ６１２が示す現在時刻とに基づいて、番組の放送時刻に対応するタイムコードを算出し、テキストデータに付加する。タイムコード付加処理部６１３は、タイムコードが付加されたテキストデータを、メタデータ生成部６１４に供給する。
【００３９】
メタデータ生成部６１４は、タイムコードが付加されたテキストデータに、番組ＩＤ抽出部６１０から供給された番組ＩＤ情報を付加してメタデータを生成する。そして、メタデータをメタデータ記憶部６３に記録する。また、メタデータ生成部６１４は、ネットワーク７０を介して取得した番組関連情報を、番組ＩＤに関連付けて記録する。
【００４０】
コンテンツ情報管理サーバ３０は、番組情報を管理する各種データ処理を行なうコンピュータシステムである。このために、図１に示すように、コンテンツ情報管理サーバ３０は、事前番組情報記憶部３２、放送番組情報記憶部３３、マッピングテーブル記憶部３４、番組タイトル突合せテーブル記憶部３５、及びこれらを制御する管理コンピュータ３１を備える。
【００４１】
この管理コンピュータ３１は、制御手段（ＣＰＵ、ＲＡＭ、ＲＯＭ等）を備え、事前番組情報の記録処理、放送番組情報の記録処理、事前番組情報の選択処理、事前番組情報に対する放送番組情報の選択処理、タイトルの照合処理、事前番組情報と放送番組情報との関連付け処理を実行する。そして、放送情報管理プログラムを実行することにより、管理コンピュータ３１は、事前番組情報取得手段、放送番組情報取得手段、事前番組情報選択手段、放送番組情報選択手段、照合手段、関連付け手段等として機能する。
【００４２】
事前番組情報記憶部３２は、図３に示すように、番組放送に先立って早い段階で各放送局から提供される放送番組毎に事前番組情報３２０が記録される。この事前番組情報３２０は、番組情報提供サーバ２０から提供される事前番組情報を取得した場合に記録される
。事前番組情報３２０は、放送局、放送予定番組時間枠、仮タイトル、番組関連情報及び仮番組ＩＤに関するデータを含んで構成される。
【００４３】
放送局データ記憶領域には、番組を放送する放送局を特定するための識別子に関するデータが記録される。
放送予定番組時間枠データ記憶領域には、放送番組の放送開始予定時刻（年月日時分）及び放送終了予定時刻（年月日時分）に関するデータが記録される。
【００４４】
仮タイトルデータ記憶領域には、放送予定番組に一時的に付与された仮のタイトルに関するデータが記録される。
番組関連情報データ記憶領域には、この放送番組に関して付加される情報（付加情報）に関するデータが記録される。なお、この番組関連情報には、番組情報提供サーバ２０から提供される事前番組情報に含まれる情報の他に、コンテンツ情報管理サーバ３０において新たに設定された情報含めることも可能である。
【００４５】
仮番組ＩＤデータ記憶領域には、番組情報提供サーバ２０から提供された事前番組情報に対して番組毎に割り当てられる識別子に関するデータが記録される。この仮番組ＩＤは、コンテンツ情報管理サーバ３０によって自動的に採番される。
【００４６】
放送番組情報記憶部３３は、図４に示すように、放送内容がほぼ確定した放送直前や放送後の段階に各放送局から提供される放送番組毎に放送番組情報３３０が記録される。この放送番組情報３３０は、番組情報提供サーバ２０から提供される放送番組情報を取得した場合に、この放送番組情報に基づいて記録される。放送番組情報３３０は、放送局、放送番組時間枠、番組タイトル（正タイトル）、番組関連情報及び番組ＩＤに関するデータを含んで構成される。
【００４７】
放送局データ記憶領域には、放送局を特定するための識別子に関するデータが記録される。
放送番組時間枠データ記憶領域には、放送番組の放送開始時刻（年月日時分）及び放送終了時刻（年月日時分）に関するデータが記録される。
【００４８】
番組タイトルデータ記憶領域には、放送番組に確定的に付与された正式なタイトル（正タイトル）に関するデータが記録される。
番組関連情報データ記憶領域には、この放送番組に関して付加される情報に関するデータが記録される。なお、この番組関連情報には、番組情報提供サーバ２０から提供される放送番組情報に含まれる情報の他に、コンテンツ情報管理サーバ３０において新たに設定された情報を含めることも可能である。
【００４９】
番組ＩＤデータ記憶領域には、各放送番組を識別するために割り振られた識別子に関するデータが記録される。この番組ＩＤは、コンテンツ情報管理サーバ３０によって自動的に採番される。
【００５０】
マッピングテーブル記憶部３４は、対応テーブル記憶部として機能し、図５に示すように、番組ＩＤと仮番組ＩＤとを関連付けたマッピングテーブル３４０が記録されている。このマッピングテーブル３４０は、番組情報提供サーバ２０から提供される放送番組情報を取得し、突合せ処理を実行したときに記録される。マッピングテーブル３４０は、番組ＩＤと仮番組ＩＤとが関連付けられている。
【００５１】
番組タイトル突合せテーブル記憶部３５は対照表データ記憶部として機能し、図６に示すように、対応する仮タイトルと番組タイトルとを関連付けた番組タイトル突合せテーブ
ル３５０が記録されている。この番組タイトル突合せテーブル３５０には、事前番組情報に含まれる可能性がある仮タイトル（候補）と、放送番組情報に含まれる可能性がある番組タイトル（候補）とを対応付けた対照表に関するデータが記録される。そして、両者をマッチングするために用いられる。
【００５２】
以下、このように構成されたシステムを用いて、放送情報管理を行なう場合の処理手順について図７〜図９を用いて説明する。ここでは、仮番組ＩＤ採番処理（図７）、番組ＩＤ採番処理（図８）、突合せ処理（図９）に分けて説明する。
【００５３】
（仮番組ＩＤ採番処理）
まず、仮番組ＩＤ採番処理について、図７を用いて説明する。本実施形態では、毎週、特定の曜日（例えば、毎週金曜日）に、コンテンツ情報管理サーバ３０の管理コンピュータ３１は、番組情報提供サーバ２０から事前番組情報を取得する（ステップＳ１−１）。この事前番組情報は、放送局、番組毎の放送予定番組時間枠（放送番組の放送開始予定時刻（年月日時分）及び放送終了予定時刻（年月日時分））及び仮タイトルに関する情報を含む。
【００５４】
この場合、管理コンピュータ３１は、番組毎に仮番組ＩＤを採番する（ステップＳ１−２）。そして、管理コンピュータ３１は、事前番組情報を記録する（ステップＳ１−３）。具体的には、管理コンピュータ３１は、付与した仮番組ＩＤとともに、番組情報提供サーバ２０から取得した事前番組情報を事前番組情報記憶部３２に記録する。なお、事前番組情報に含まれていない番組に関しては、オペレータ端末４５を用いて、オペレータが手動で設定した事前番組情報３２０を事前番組情報記憶部３２に記録することの可能である。
【００５５】
（番組ＩＤ採番処理）
次に、番組ＩＤ採番処理について、図８を用いて説明する。本実施形態では、毎日、コンテンツ情報管理サーバ３０の管理コンピュータ３１は、番組情報提供サーバ２０から放送番組情報を取得する（ステップＳ２−１）。この放送番組情報は、放送局、番組毎の放送番組時間枠（放送番組の放送開始時刻（年月日時分）及び放送終了時刻（年月日時分））及び番組タイトル（正タイトル）に関する情報を含む。
【００５６】
そして、管理コンピュータ３１は、番組毎に番組ＩＤの割当を行なう（ステップＳ２−２）。具体的には、チャンネル毎に、放送番組情報の番組枠毎に設定する。
そして、管理コンピュータ３１は、放送番組情報を記録する（ステップＳ２−３）。具体的には、管理コンピュータ３１は、付与した番組ＩＤとともに、番組情報提供サーバ２０から取得した放送番組情報を放送番組情報記憶部３３に記録する。
【００５７】
（突合せ処理）
次に、管理コンピュータ３１は、事前番組情報による放送予定番組と放送番組情報による放送番組との突合せ処理を行なう。これについて、図９を用いて説明する。
【００５８】
この突合せ処理においては、管理コンピュータ３１は、まず、処理対象の事前番組情報を取得する（ステップＳ３−１）。具体的には、同じ放送局で、放送日が当日である事前番組情報３２０を事前番組情報記憶部３２から抽出する。この場合、事前番組情報に含まれる構成要素を利用して、放送局や放送日を特定する。
【００５９】
そして、事前番組情報の時刻を基準にして所定時間範囲で放送番組情報を検索する（ステップＳ３−２）。ここでは、抽出された事前番組情報３２０について、放送予定番組時間枠と放送番組情報３３０の放送番組時間枠を比較し、突合せ対象番組を抽出する。具体
的には、事前番組情報３２０の放送予定番組時間枠の放送開始予定時刻の所定時間前（例えば、３時間前）から放送終了予定時刻の所定時間後（例えば、３時間後）までの間に放送番組時間枠が含まれる放送番組情報３３０を抽出する。
【００６０】
例えば、図６のケース８０では、事前番組情報３２０において放送予定番組時間枠の放送開始予定時刻が「１０：００」で放送終了予定時刻が「１１：００」である場合の突合せ処理を示している。このケースでは、放送番組情報３３０の放送番組時間枠が、放送予定番組時間枠における放送開始予定時刻の３時間前（ここでは、「７：００」）から放送終了予定時刻の３時間後の（ここでは、「１４：００」）までの間に含まれる放送番組情報３３０を抽出する。この場合、仮タイトル「スポーツＮ」の事前番組情報３２０に対し、番組タイトルが「番組Ａ」、「スポーツニュース」、「番組Ｂ」、「番組Ｃ」である放送番組情報３３０が抽出される。
【００６１】
そして、番組タイトル突合せテーブル３５０を利用して、タイトルの突合せを行なう（ステップＳ３−３）。具体的には、番組タイトル突合せテーブル３５０の仮タイトル候補の中から事前番組情報３２０の仮タイトルを検索し、この仮タイトル候補に関連付けられた番組タイトル候補を抽出する。そして、抽出された番組タイトル候補について、上記ステップＳ３−２において抽出された放送番組情報３３０を検索する。例えば、仮タイトルの「スポーツＮ」に対し、番組タイトル候補として「スポーツニュース」が抽出される。この番組タイトル「スポーツニュース」について、上記ステップＳ３−２において抽出された放送番組情報３３０を検索すると、放送番組時間枠の放送開始時刻が１０：００で放送終了時刻が１０：５０の放送番組情報３３０が特定される。この場合、マッチングが成功したことになる。
【００６２】
マッチングが成功した場合（ステップＳ３−４において「ＹＥＳ」の場合）、番組ＩＤの割当を行なう（ステップＳ３−５）。具体的には、マッピングテーブル３４０に、マッチングが成功した放送番組情報３３０の番組ＩＤと、事前番組情報３２０の仮番組ＩＤとを関連付けたデータを追加して記録する。これにより、番組ＩＤと仮番組ＩＤとの紐付けが行なわれる。
【００６３】
なお、マッチングが成功しなかった場合（ステップＳ３−４において「ＮＯ」の場合）、番組ＩＤの割当は行なわない。この場合、マッチングが成功しなかった事前番組情報３２０を識別できるように記録を残しておく。
【００６４】
そして、本日分の事前番組情報の全番組について完了していない場合、すなわち、本日分の事前番組情報３２０が終了していない場合（ステップＳ３−６において「ＮＯ」の場合）、ステップＳ３−１の処理に戻る。このようにして、ステップＳ３−１〜ステップＳ３−６の処理を、本日分の事前番組情報の全番組について完了（ステップＳ３−６において「ＹＥＳ」）するまで繰り返す。
【００６５】
このようにして本日分の番組について突合せ処理が終了すると、管理コンピュータ３１は、マッチングが完了しているかどうかの判断を行なう（ステップＳ３−７）。まず、本実施形態では、突合せ処理が終了してもマッピングテーブル３４０に番組ＩＤが記録されていない放送番組情報３３０を特定する。そして、管理コンピュータ３１は、マッチングができなかった事前番組情報３２０又は放送番組情報３３０があるかどうかを調べる。ここで、マッチングができなかった事前番組情報３２０又は放送番組情報３３０がある場合、突合せ処理が不完全である。この場合（ステップＳ３−７において「ＮＯ」の場合）、管理コンピュータ３１は、確認指示を通達するための電子メール（通達メール）をオペレータ端末４５に送信する（ステップＳ３−８）。この通達メールには、マッチングを完了できなかった事前番組情報や放送番組情報に関するデータが含まれる。
【００６６】
この通達メールを受信した場合、オペレータは、オペレータ端末４５を用いて、この通達メールを確認する。一致する事前番組情報３２０と放送番組情報３３０とがあった場合、オペレータは、事前番組情報３２０と放送番組情報３３０との紐付け指示を入力する。この入力に基づいて、管理コンピュータ３１は、マッピングテーブル３４０に、放送番組情報３３０の番組ＩＤと事前番組情報３２０の仮番組ＩＤとを関連付けたデータを追加して記録する。これにより、自動的にマッチングができなかった場合において、事前番組情報３２０に対して突合せ対象となる放送番組情報３３０が実際は存在する場合、この事前番組情報３２０の仮番組ＩＤと放送番組情報３３０の番組ＩＤとの紐付けが行われる。
【００６７】
なお、放送番組情報取得後、放送時に番組編成に変更が生じる場合もある。この場合、割り当てられている番組ＩＤ及び仮番組ＩＤを修正することで正しい情報を提供することができる。
【００６８】
以上のようにして、放送番組情報３３０に割り当てられた番組ＩＤと事前番組情報３２０に割り当てられた仮番組ＩＤとについての紐付けが行なわれる。放送終了後、番組枠毎の番組関連情報を利用する場合は、番組ＩＤに紐付けられた仮番組ＩＤにより特定される事前番組情報を利用することができる。
【００６９】
（録画された番組に関する情報の取得）
以下、放送番組を録画した後、録画した番組に関する情報（番組関連情報）を録画再生装置６０が取得する場合について説明する。この場合には、番組ＩＤを利用者に公開しておく。
【００７０】
利用者は、操作入力部６１７を用いて、番組関連情報を取得する放送番組を特定し、番組関連情報の取得指示を入力する。これにより、録画管理部６０９は、特定された放送番組の番組ＩＤを特定し、この番組ＩＤを特定した番組関連情報送信要求を、通信部６１６を介してコンテンツ情報管理サーバ３０に送信する。
【００７１】
番組関連情報送信要求を受信したコンテンツ情報管理サーバ３０は、この番組関連情報送信要求に含まれる番組ＩＤに基づいて、マッピングテーブル３４０を用いて事前番組情報３２０や放送番組情報３３０を特定する。そして、コンテンツ情報管理サーバ３０は、番組に関する情報を録画再生装置６０に提供する。
【００７２】
以上、本実施形態によれば、以下に示す効果を得ることができる。
・  上記実施形態では、コンテンツ情報管理サーバ３０が番組情報提供サーバ２０から事前番組情報を取得した場合（ステップＳ１−１）、管理コンピュータ３１は、番組毎に仮番組ＩＤを採番（ステップＳ１−２）、事前番組情報３２０を事前番組情報記憶部３２に記録する（ステップＳ１−３）。次に、番組情報提供サーバ２０から放送番組情報を取得した場合（ステップＳ２−１）、管理コンピュータ３１は、番組毎に番組ＩＤの採番（ステップＳ２−２）、放送番組情報３３０を放送番組情報記憶部３３に記録する（ステップＳ２−３）。そして、管理コンピュータ３１は、事前番組情報による放送予定番組と放送番組情報による放送番組との突合せ処理を行なう（図９）。これにより、仮番組ＩＤと番組ＩＤとを紐付けたマッピングテーブル３４０を生成することができる。従って、予め番組関連情報を仮番組ＩＤに関連付けておき、実際に放送された場合、この情報を提供することができる。特に、事前番組情報は、番組枠が曖昧であるため、マスターの番組情報としてメタデータへの利用やユニークキーとしての利用が困難である。仮番組ＩＤと番組ＩＤとを紐付けることにより、精緻な情報を提供することができる。
【００７３】
・  上記実施形態では、突合せ処理においては、事前番組情報の時刻を基準にして所定
時間範囲で放送番組情報を検索する（ステップＳ３−２）。この場合、番組タイトル突合せテーブル３５０を利用して、タイトルの突合せを行なう（ステップＳ３−３）。これにより、番組編成上、放送番組時間枠が変更されても、番組を特定することができる。
【００７４】
なお、上記実施形態は、以下の態様に変更してもよい。
・  上記実施形態では、番組タイトル突合せテーブル３５０を利用して、タイトルの突合せを行なう（ステップＳ３−３）。マッチングの方法は、これに限定されるものではなく、公知の曖昧検索手法を用いることも可能である。例えば、部分的に一致する文字列を特定し、全体の文字数に対して一致文字数の割合（一致度）が、予め定められた基準値より高い場合にはマッチングと判断する。そして、事前番組情報と放送番組情報とを関連付けて対応テーブル記憶部に記録する。これにより、番組タイトル突合せテーブル３５０に登録されていないタイトルについても突合せを行なうことができる。
【００７５】
・  上記実施形態では、事前番組情報の時刻を基準にして所定時間範囲で放送番組情報を検索する（ステップＳ３−２）。具体的には、事前番組情報３２０の放送予定番組時間枠の放送開始予定時刻の所定時間前から放送終了予定時刻の所定時間後までの間に放送番組時間枠が含まれる放送番組情報３３０を抽出する。この所定時間範囲を、番組によって変更するように構成してもよい。例えば、変更時間幅を番組の放送時間に基づいて決定してもよい。この場合には、放送時間を変数とする関数や対応テーブルを用いる。
【００７６】
また、番組のタイトルや種類等の番組情報に基づいて所定時間範囲を変更するように構成してもよい。例えば、「ニュース」という文字列を含むタイトルに対する時間幅や、「ドラマ」という文字列を含むタイトルに対する時間幅を登録した対応テーブルを準備しておく。これにより、番組の属性を考慮して、突合せを行なうことができる。
【００７７】
・  上記実施形態では、事前番組情報の時刻を基準にして所定時間範囲で放送番組情報を検索する（ステップＳ３−２）。この場合、他の番組の突合せ処理を利用して、検索を行なってもよい。例えば、突合せた番組の放送時間が、先の番組の延長や中止の影響により変更を検出した場合には、変更された時間を含めて次の検索を行なってもよい。例えば、先のスポーツ番組が延長された場合には、この延長時間分だけ、検索を行なう所定時間範囲を広くする。
【００７８】
・  上記実施形態では、事前番組情報の時刻を基準にして所定時間範囲で放送番組情報を検索する（ステップＳ３−２）。これに代えて、放送番組情報の時刻を基準にして所定時間範囲で事前番組情報を検索することも可能である。すなわち、複数の放送番組情報から特定の放送番組情報を選択し、複数の事前番組情報から、選択された放送番組情報と同じ放送局で且つ前記放送番組情報の放送時刻と近傍の放送時刻である１つ以上の事前番組情報を選択する。そして、選択された放送番組情報の番組タイトルと、事前番組情報の仮タイトルの照合処理を行ない、選択された事前番組情報の内、放送番組情報についての番組タイトルが所定の範囲内で一致した仮タイトルの事前番組情報を関連付けて対応テーブル記憶部に記録する。これによっても仮番組ＩＤと番組ＩＤとを紐付けることが可能である。
【００７９】
・  上記実施形態では、番組ＩＤを利用者に公開しておく。そして、所望の放送番組について、録画管理部６０９は、番組ＩＤを特定した番組関連情報送信要求を、通信部６１６を介してコンテンツ情報管理サーバ３０に送信する。番組関連情報送信要求を受信したコンテンツ情報管理サーバ３０は、この番組関連情報送信要求に含まれる番組ＩＤに基づいて事前番組情報３２０や放送番組情報３３０を特定する。そして、コンテンツ情報管理サーバ３０は、番組に関する情報を録画再生装置６０に提供する。この番組ＩＤに代えて仮番組ＩＤを利用者に公開したり、番組ＩＤに加えて仮番組ＩＤを利用者に公開したりす
ることも可能である。この場合も、コンテンツ情報管理サーバ３０は、マッピングテーブル３４０を用いて事前番組情報３２０や放送番組情報３３０を特定することができる。これにより、例えば、事前番組情報を受信することができたが、放送番組情報を受信することができない場合であっても、放送番組について、少なくともそれに関連付けられ付加情報を提供することができる。
【図面の簡単な説明】
【００８０】
【図１】本発明の実施形態のシステム概略図。
【図２】本発明の実施形態の録画再生装置のブロック構成の説明図。
【図３】事前番組情報記憶部に記録されたデータの説明図。
【図４】放送番組情報記憶部に記録されたデータの説明図。
【図５】マッピングテーブルの説明図。
【図６】番組タイトル突合せテーブルの説明図。
【図７】本発明の実施形態の処理手順の説明図。
【図８】本発明の実施形態の処理手順の説明図。
【図９】本発明の実施形態の処理手順の説明図。
【符号の説明】
【００８１】
１０…放送局、３０…コンテンツ情報管理サーバ、３１…管理コンピュータ、３２…事前番組情報記憶部、３３…放送番組情報記憶部、３４…マッピングテーブル記憶部、３５…番組タイトル突合せテーブル記憶部、４５…オペレータ端末、６０…録画再生装置、３２０…事前番組情報、３３０…放送番組情報、３４０…マッピングテーブル。
【図１】
2007251743.tif 000003
【図２】
2007251743.tif 000004
【図３】
2007251743.tif 000005
【図４】
2007251743.tif 000006
【図５】
2007251743.tif 000007
【図６】
2007251743.tif 000008
【図７】
2007251743.tif 000009
【図８】
2007251743.tif 000010
【図９】
2007251743.tif 000011